(57)【要約】      （修正有）【課題】振動音響子が結合したパネル下部部材の提供。【解決手段】表示装置１０は、表示パネル１００及び表示パネルの下部に配置されたパネル下部の部材を含む。パネル下部の部材は、第１凹パターンが形成された上面を有する光遮断部材５１０と、上記光遮断部材の下部に位置する振動音響素子４００と、上記光遮断部材の下部に位置し、上記振動音響素子と重畳しない緩衝部材５２０と、上記光遮断部材と上記振動音響素子との間に位置し、上記第１凹パターンとは異なる第２凹パターンが形成された上面を有し、前記光遮断部材と前記振動音響素子とを結合する結合部材７２０を含む。【選択図】図３
2020003778.tif 000002
【特許請求の範囲】
【請求項１】
第１凹パターンが形成された上面を有する光遮断部材と、
前記光遮断部材の下部に位置する振動音響素子と、
前記光遮断部材の下部に位置し、前記振動音響素子と重畳しない緩衝部材と、
前記光遮断部材と前記振動音響素子との間に位置し、前記第１凹パターンとは異なる第２凹パターンが形成された上面を有し、前記光遮断部材と前記振動音響素子とを結合する結合部材と、
を含む、パネル下部部材。
【請求項２】
前記第２凹パターンによって前記結合部材の上面と下面との間に形成される第２空気通路の単位面積当たりの第２体積は、前記第１凹パターンによって前記光遮断部材の上面と下面との間に形成される第１空気通路の単位面積当たりの第１体積よりも大きい、請求項１に記載のパネル下部部材。
【請求項３】
前記光遮断部材に接する前記第２空気通路の上部表面積は前記結合部材の上面の面積の１０％以上３０％以下である、請求項２に記載のパネル下部部材。
【請求項４】
前記結合部材の厚さ方向への前記第２凹パターンの第２深さは、前記光遮断部材の前記第１凹パターンの第１深さよりも深い、請求項１に記載のパネル下部部材。
【請求項５】
前記結合部材の一面に平行な方向において、前記第２凹パターンの第２幅は、前記第１凹パターンの第１幅よりも大きい、請求項１に記載のパネル下部部材。
【請求項６】
前記結合部材の前記一面に平行な方向において、前記第２凹パターンの第２幅は、前記第２凹パターンによって定義される凸部の幅の５％以上１５％以下である、請求項５に記載のパネル下部部材。
【請求項７】
前記結合部材は両面接着テープである、請求項１に記載のパネル下部部材。
【請求項８】
前記結合部材は、
前記第２凹パターンに対応する第３凹パターンを有する基材、
前記基材の上面に配置される第１接着層、及び
前記基材の下面に配置される第２接着層を含む、請求項１に記載のパネル下部部材。
【請求項９】
前記第３凹パターンは、島状のパターンが互いに離隔して配置されたパターンである、請求項８に記載のパネル下部部材。
【請求項１０】
前記第３凹パターンは、第１方向に延び、前記第１方向と交差する第２方向に沿って繰り返し配列される線を含む、請求項８に記載のパネル下部部材。
【請求項１１】
前記基材はメッシュ構造を有する、請求項８に記載のパネル下部部材。
【請求項１２】
前記基材はファブリック（ｆａｂｒｉｃ）構造を有し、
前記基材は、
第１方向に延び、前記第１方向と交差する第２方向に沿って繰り返し配置される第１ラインと、
前記第２方向に延び、前記第１方向に沿って繰り返し配置され、前記第１ラインと交差する第２ラインとを含む、請求項８に記載のパネル下部部材。
【請求項１３】
前記振動音響素子は、第１電極、第２電極、及び前記第１電極と前記第２電極との間に位置する振動物質層を含み、
前記振動物質層は、圧電体、圧電フィルム、及び電気活性高分子のうちの少なくとも一つを含む、請求項１に記載のパネル下部部材。
【請求項１４】
前記光遮断部材は、
基材、
前記基材の上面に配置され、前記振動音響素子と重畳する第１光遮断層、及び
前記第１光遮断層の上面に配置されるトップ結合層を含む、請求項１に記載のパネル下部部材。
【請求項１５】
前記第１光遮断層は光吸収物質を含む、請求項１４に記載のパネル下部部材。
【請求項１６】
前記光遮断部材は、前記振動音響素子と重畳する第２光遮断層をさらに含み、
前記第２光遮断層は前記基材の下面に配置され、
前記結合部材及び前記振動音響素子は前記第２光遮断層の下部に配置される、請求項１４に記載のパネル下部部材。
【請求項１７】
前記光遮断部材と前記緩衝部材との間に位置し、前記結合部材から離隔した層間結合部材をさらに含み、
前記層間結合部材は前記振動音響素子と重畳しない、請求項１に記載のパネル下部部材。
【請求項１８】
前記光遮断部材と前記緩衝部材との間に配置される放熱部材をさらに含む、請求項１に記載のパネル下部部材。
【請求項１９】
前記放熱部材は前記振動音響素子と重畳する、請求項１８に記載のパネル下部部材。
【請求項２０】
前記光遮断部材と前記緩衝部材との間に配置されるデジタイザをさらに含み、
前記デジタイザは前記振動音響素子と重畳する、請求項１に記載のパネル下部部材。
【請求項２１】
前記結合部材は前記光遮断部材と前記緩衝部材との間に位置し、
前記緩衝部材と重畳する部分には前記第２凹パターンを含まない、請求項１に記載のパネル下部部材。
【請求項２２】
第１凹パターンが形成された上面、及び第２凹パターンが形成された下面を有する光遮断部材と、
前記光遮断部材の下部に位置し、前記光遮断部材に結合された振動音響素子と、
前記光遮断部材の下部に位置し、前記振動音響素子と重畳しない緩衝部材と、
を含み、
前記第２凹パターンによって前記光遮断部材と前記振動音響素子との間に形成される第２空気通路は、前記第１凹パターンによって形成される第１空気通路と異なる、パネル下部部材。
【請求項２３】
前記第１凹パターンは前記光遮断部材の上面全体に形成され、
前記第２凹パターンは前記光遮断部材の下面における第１領域に形成され、
前記第１領域は前記振動音響素子と重畳する、請求項２２に記載のパネル下部部材。
【請求項２４】
前記第２空気通路の単位面積当たりの第２体積は、前記第１空気通路の単位面積当たりの第１体積よりも大きい、請求項２２に記載のパネル下部部材。
【請求項２５】
前記振動音響素子に接する前記第２空気通路の下部表面積は、前記結合部材の上面の面積の１０％以上３０％以下である、請求項２４に記載のパネル下部部材。
【請求項２６】
前記第２凹パターンの第２深さは前記第１凹パターンの第１深さよりも深い、請求項２２に記載のパネル下部部材。
【請求項２７】
前記結合部材の一面に対して平行な方向において、前記第２凹パターンの第２幅は、前記第１凹パターンの第１幅よりも大きい、請求項２２に記載のパネル下部部材。
【請求項２８】
前記光遮断部材と前記振動音響素子との間に位置し、第３凹パターンが形成された上面を有する結合部材をさらに含み、
前記結合部材は前記振動音響素子と前記光遮断部材とを結合し、
前記第２空気通路は前記第２凹パターン及び前記第３凹パターンによって形成される、請求項２２に記載のパネル下部部材。
【請求項２９】
前記第１乃至第３凹パターンは、互いに同一の幅及び互いに同一の深さを有する、請求項２８に記載のパネル下部部材。
【請求項３０】
前記第２凹パターンは、前記光遮断部材の下面上で第１方向に延び、前記第１方向と交差する第２方向に沿って繰り返し配置され、
前記第３凹パターンは、前記結合部材の上面上で前記第２方向に延び、前記第１方向に沿って繰り返し配置される、請求項２８に記載のパネル下部部材。
【請求項３１】
表示パネルと、
前記表示パネルの下部に配置されたパネル下部部材と、
を含み、
前記パネル下部部材は、
前記表示パネルの下部に位置し、第１凹パターンが形成された上面を有する光遮断部材と、
前記光遮断部材の下部に位置する振動音響素子と、
前記光遮断部材の下部に位置し、前記振動音響素子と重畳しない緩衝部材と、
前記光遮断部材と前記振動音響素子との間に位置し、前記第１凹パターンとは異なる第２凹パターンが形成された上面を有し、前記光遮断部材と前記振動音響素子とを結合する結合部材とを含む、表示装置。
【発明の詳細な説明】
【技術分野】
【０００１】
本発明は、パネル下部部材及びこれを含む表示装置に関する。
【背景技術】
【０００２】
ユーザーに画像を提供するスマートフォン、デジタルカメラ、ノートパソコン、ナビゲーション、およびスマートテレビなどの電子機器は、画像を表示するための表示装置を含む。表示装置は、画像を生成して表示する表示パネル、及び表示パネルの下部に配置されるパネル下部部材を含む。パネル下部部材は、発熱、外部衝撃などから表示パネルを保護するための様々な機能性シートを含むことができる。
【０００３】
ところが、このような表示装置はいずれも、画像を表示する機能のみを有し、音を提供するためには、電子機器に別のスピーカーが備えられなければならないという欠点がある。
【先行技術文献】
【特許文献】
【０００４】
【特許文献１】米国特許出願公開第２０１０／０２２５６００号明細書
【特許文献２】米国特許出願公開第２０１７／０２８９３２４号明細書
【特許文献３】韓国公開特許第１０−２０１６−００４０３９８号公報
【発明の概要】
【発明が解決しようとする課題】
【０００５】
本発明が解決しようとする課題は、振動音響素子が結合したパネル下部部材を提供することにある。
【０００６】
本発明が解決しようとする他の課題は、振動音響素子が結合した表示装置を提供することにある。
【０００７】
本発明の課題は上述した技術的課題に制限されず、上述していない別の技術的課題は以降の記載から当業者に明確に理解できるだろう。
【課題を解決するための手段】
【０００８】
上記課題を解決するための本発明の一実施形態によるパネル下部の部材は第１凹パターンが形成された上面を有する光遮断部材と、上記光遮断部材の下部に位置する振動音響素子と、上記光遮断部材の下部に位置し、上記振動音響素子と重畳しない緩衝部材と、上記光遮断部材と上記振動音響素子との間に位置し、上記第１凹パターンとは異なる第２凹パターンが形成された上面を有し、前記光遮断部材と前記振動音響素子とを結合する結合部材を含む。
【発明の効果】
【０００９】
本発明の実施形態によれば、音響機能を有する表示装置、及び音響機能を有する表示装置のための下部パネル部材を提供することができる。
【００１０】
本発明による効果は、以上で例示された内容によって制限されず、さらに様々な効果が本明細書中に含まれている。
【図面の簡単な説明】
【００１１】
【図１】本発明の一実施形態に係る表示装置の斜視図である。
【図２】図１の表示装置の分解斜視図である。
【図３】図１のＡ−Ａ’線に沿った断面図である。
【図４】図１の表示装置に含まれている振動音響素子を説明する概念図である。
【図５】図３に示されたＱ１部分を拡大して示す断面図である。
【図６】図１の表示装置に含まれている結合部材及びボトム結合層の平面図である。
【図７】パネル下部部材の一例を示す断面図である。
【図８ａ】図７のパネル下部部材に含まれている結合部材の一実施形態を示す図である。
【図８ｂ】図７のパネル下部部材に含まれている結合部材の一実施形態を示す図である。
【図８ｃ】図７のパネル下部部材に含まれている結合部材の一実施形態を示す図である。
【図９】パネル下部部材の一実施形態を示す断面図である。
【図１０】パネル下部部材の一実施形態を示す断面図である。
【図１１】パネル下部部材の一実施形態を示す断面図である。
【図１２】図１１のパネル下部部材に含まれている結合部材の一例を示す図である。
【図１３】パネル下部部材の他の例を示す断面図である。
【図１４】パネル下部部材の一実施形態を示す断面図である。
【図１５】パネル下部部材の一実施形態を示す断面図である。
【図１６】他の実施形態による表示装置の断面図である。
【図１７】図１６に示されたＱ１部分を拡大して示す断面図である。
【図１８】パネル下部部材の別の例を示す断面図である。
【発明を実施するための形態】
【００１２】
本発明の利点、特徴、及びそれらを達成する方法は、添付図面と共に詳細に後述されている実施形態を参照すると明確になるだろう。しかし、本発明は、以下で開示する実施形態に限定されるものではなく、互いに異なる多様な形態で実現される。但し、本実施形態は、単に本発明の開示を完全たるものにし、本発明の属する技術分野における通常の知識を有する者に発明の範疇を完全に知らせるために提供されるものである。本発明は、請求項の範疇によってのみ定められる。
【００１３】
素子（ｅｌｅｍｅｎｔｓ）または層が、他の素子または層の「上（ｏｎ）」にあると記載された場合は、他の素子または層の真上に存在する場合だけでなく、それらの間に別の層または別の素子が介在する場合を全て含む。これに対し、素子が「直接上（ｄｉｒｅｃｔｌｙ  ｏｎ）」または「真上」にあると記載された場合は、それらの間に別の素子または層が介在していないことを示す。
【００１４】
空間的に相対的な用語である「下（ｂｅｌｏｗ）または（ｂｅｎｅａｔｈ）」、「下部（ｌｏｗｅｒ）」、「上（ａｂｏｖｅまたはｏｎ）」、「上部（ｕｐｐｅｒ）」などは、図示されているように、一つの素子または構成要素と他の素子または構成要素との相関関係を容易に記述するために使用できる。空間的に相対的な用語は、図示されている方向に加えて、使用の際または動作の際に素子の互いに異なる方向を含む用語として理解されるべきである。例えば、図示されている素子を覆す場合、他の素子の「下」と記述された素子は、他の素子の「上」に位置することができる。また、図面を基準に、他の素子の「左側」に位置すると記述された素子は時点によっては他の素子の「右側」に位置することもできる。よって、例示的な用語である「下」は、下と上の方向をすべて含むことができる。素子は他の方向にも配向できる。この場合、空間的に相対的な用語は配向によって解釈できる。
【００１５】
例えば、「第１」、「第２」などの用語は様々な構成要素を叙述するために使用されるが、これらの構成要素はこれらの用語によって限定されないのは勿論である。これらの用語は、単に一つの構成要素を他の構成要素と区別するために使用するものである。よって、以下で言及される第１構成要素は本発明の技術的思想内で第２構成要素であることもある。単数の表現は、文脈上明白に異なる意味ではない限り、複数の表現を含む。また、「含む」または「有する」などの用語は、明細書上に記載された特徴、数字、段階、動作、構成要素、部分品またはこれらの組み合わせが存在することを指定しようとするもので、一つまたはそれ以上の他の特徴、数字、段階、動作、構成要素、部分品またはこれらの組み合わせの存在または付加の可能性を予め排除しない。
【００１６】
図１は本発明の実施形態に係る表示装置の斜視図である。図２は図１の表示装置の分解斜視図である。図３は図１のＡ−Ａ’線に沿った断面図である。図４は図１の表示装置に含まれている振動音響素子を説明する概念図である。図５は図３に示されたＱ１部分を拡大して示す断面図である。図６は図１の表示装置に含まれている結合部材及びボトム結合層の平面図である。
【００１７】
図１乃至図６を参照すると、表示装置１０は画像を表示することができる。表示装置１０は、タブレットＰＣ、スマートフォン、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、ゲーム機、腕時計型電子機器などの携帯用端末であり得る。ところが、表示装置１０がこれらに限定されるものではない。たとえば、表示装置１０は、テレビや外部広告板などの大型電子装備であるか、パーソナルコンピュータ、ノートパソコン、自動車ナビ装置、カメラなどの中小型電子装備などであり得る。
【００１８】
表示装置１０は、平面視長方形の形状であり得る。表示装置１０は、両長辺（すなわち、第１長辺１０ｓ１１及び第２長辺１０ｓ１２）並びに両短辺（すなわち、第１短辺１０ｓ２１及び第２短辺１０ｓ２２）を含むことができる。表示装置１０の長辺１０ｓ１１、１０ｓ１２と短辺１０ｓ２１、１０ｓ２２とが交差する角は直角であり得るが、図１に示されているように曲面を成すことができる。表示装置１０の平面視形状は、例示されたものに限定されず、円形やその他の形状に適用されてもよい。
【００１９】
表示装置１０は表示パネル１００及びパネル下部部材２０を含み、パネル下部部材２０は振動音響素子４００及び緩衝部材５２０を含むことができる。また、表示装置１０は、機能モジュール２００（または機能パネル）、ウィンドウ３００及びブラケット６００を含むことができる。
【００２０】
表示パネル１００は画像を表示することができる。例えば、表示パネル１００は有機発光表示パネルであり得る。以下、表示パネル１００が有機発光表示パネルである場合を例示するが、これに限定されない。例えば、表示パネル１００は、液晶表示パネル、電気泳動表示パネル、プラズマ表示パネルなど、他の種類の表示パネルであってもよい。
【００２１】
表示パネル１００は、基板上に配置された複数の有機発光素子を含むことができる。基板は、ガラスなどからなる剛性基板であってもよく、ポリイミドなどからなるフレキシブル基板であってもよい。基板としてポリイミド基板を適用する場合、表示パネル１００は、撓んだり折れたり曲がったり捲れたりすることができる。表示パネル１００は、表示部ＤＡ、及び表示部ＤＡの周辺に配置された非表示部ＮＤＡを含むことができる。
【００２２】
他の定義がない限り、本明細書において、「上部」、「トップ」、「上面」は表示パネル１００を基準として表示面側を意味し、「下部」、「ボトム」、「下面」は表示パネル１００を基準として表示面の反対側を意味する。
【００２３】
機能モジュール２００は表示パネル１００の上部に配置できる。機能モジュール２００は少なくとも一つの機能層を含むことができる。機能層は、タッチセンシング機能、カラーフィルタリング機能、カラー変換機能、偏光機能、生体情報認識機能（例えば、指紋認識機能）などを行う層であり得る。機能層は、シートからなるシート層、フィルムからなるフィルム層、薄膜層、コーティング層、パネル、プレートなどであり得る。一つの機能層は単層からなってもよいが、積層された複数の薄膜またはコーティング層からなってもよい。例えば、機能層は、タッチセンシングパネル、カラーフィルタ、光学フィルム、指紋センシングパネルなどであり得る。機能モジュール２００は省略できる。
【００２４】
ウィンドウ３００は、機能モジュール２００（または表示パネル１００）の上部に配置できる。ウィンドウ３００は、表示パネル１００に重畳し、表示パネル１００の全面をカバーするように配置できる。ウィンドウ３００は、表示パネル１００より大きくてもよい。例えば、表示装置１０の両短辺側において、ウィンドウ３００は、表示パネル１００よりも外側に突出することができる。表示装置１０の両長辺１０ｓ１１、１０ｓ１２側においても、ウィンドウ３００は表示パネル１００から突出することができる。ウィンドウ３００は、両短辺１０ｓ２１、１０ｓ２２側において、表示パネル１００の両長辺１０ｓ１１、１０ｓ１２よりも表示パネル１００を越えてさらに突出することができる。
【００２５】
ウィンドウ３００は、ガラス、サファイア、プラスチックなどを含み、剛性（ｒｉｇｉｄ）を有し得るが、これに限定されるものではなく、フレキシブルであってもよい。
【００２６】
ウィンドウ３００は、中央部３１０及び遮光パターン３２０（または装飾）を含むことができる。中央部３１０は、表示パネル１００の表示部ＤＡと重畳して表示部ＤＡからの光を投光させることができる。遮光パターン３２０は、ウィンドウ３００の縁部に位置することができる。遮光パターン３２０は、表示パネル１００の非表示部ＮＤＡと重畳し、非表示部ＮＤＡが視認されることを防止することができる。
【００２７】
ウィンドウ３００は、透明結合層７１０を介して機能モジュール２００（または表示パネル１００）に結合することができる。ここで、透明結合層７１０は、光学透明接着剤（ＯＣＡ）または光学透明樹脂（ＯＣＲ）であり得る。
【００２８】
パネル下部部材２０は、表示パネル１００の下部に配置され、表示パネル１００と結合することができる。パネル下部部材２０は、表示パネル１００と実質的に同一の大きさを有し、表示パネル１００に重畳して配置できる。パネル下部部材２０の側面は表示パネル１００の側面に整列できるが、これに限定されるものではない。
【００２９】
パネル下部部材２０は光遮断部材５１０、振動音響素子４００及び緩衝部材５２０を含むことができる。
【００３０】
光遮断部材５１０（または光吸収部材）は、表示パネル１００と実質的に同一の形状及び同一の大きさを有し、表示パネル１００の下部に配置できる。
【００３１】
光遮断部材５１０は、光の透過を阻止し、光遮断部材５１０の下部に配置された構成（例えば、振動音響素子４００、緩衝部材５２０など）が上部から視認されることを防止することができる。
【００３２】
光遮断部材５１０は、第１凹パターンＣＣ１（および／または、第１凸パターンＣＶ１、第１エンボス形状）が形成された上面を有することができる。
【００３３】
第１凹パターンＣＣ１は、光遮断部材５１０の上面を基準に凹んだ部分であって、図６に示された結合部材７２０の第２凹パターンＣＣ２と同様に、平面視形状がメッシュ（ｍｅｓｈ）形状または網目パターンであり得る。一方、図６には、第２凹パターンＣＣ２（または第１凹パターンＣＣ１）の平面視における単位形状は四角形である例が示されているが、これは例示的なもので、この形状に制限されるものではない。例えば、第２凹パターンＣＣ２の平面視における単位形状は三角形、六角形などの多角形、円形などであり得る。
【００３４】
第１凹パターンＣＣ１は、第１凹パターンＣＣ１に対応する凸パターンを有する離型フィルムに粘着剤（すなわち、光遮断部材５１０の上面を構成する粘着層）をコーティングした後、光遮断部材５１０の基材をラミネートし、乾燥させることにより、光遮断部材５１０の上面に形成できる。離型フィルムは、光遮断部材５１０の表示パネル１００に対する結合過程で除去されてもよい。
【００３５】
第１凹パターンＣＣ１によって表示パネル１００と光遮断部材５１０との間に（または、光遮断部材５１０の上面と下面との間に）第１空気通路が形成できる。この場合、光遮断部材５１０を表示パネル１００に付着させる過程で表示パネル１００と光遮断部材５１０との間に発生する気泡（すなわち、表示パネル１００と光遮断部材５１０との面結合過程で発生する気泡）は、第１空気通路を介して外部に抜け出ることができる。光遮断部材５１０が表示パネル１００に付着した後、時間が経過するにつれて、第１凹パターンＣＣ１は崩れ、光遮断部材５１０の上面は全体的に平坦になることも可能である。
【００３６】
光遮断部材５１０の具体的な構成については、図１１を参照して後述する。
【００３７】
振動音響素子４００（または振動子、アクチュエータ（ａｃｔｕａｔｏｒ））は、音響信号に応答して振動を発生させることができる。振動音響素子４００は、振動物質層を含む圧電素子を含むことができる。
【００３８】
図４に示すように、振動音響素子４００は、第１電極４１０、第２電極４３０および振動物質層４２０を含むことができる。第２電極４３０は第１電極４１０に対向して配置され、振動物質層４２０は第１電極４１０と第２電極４３０との間に介在することができる。
【００３９】
第１電極４１０と第２電極４３０は導電性物質からなることができる。例えば、第１電極４１０と第２電極４３０は、ＩＴＯ、ＩＺＯなどの透明な導電体、不透明な金属、導電性ポリマー（ｃｏｎｄｕｃｔｉｎｇ  ｐｏｌｙｍｅｒ）またはカーボンナノチューブ（ＣＮＴ）などを含むことができる。
【００４０】
振動物質層４２０は、電界によって振動するピエゾ（ｐｉｅｚｏ）物質を含むことができる。例えば、振動物質層４２０は、ＰＺＴ（チタン酸ジルコン酸鉛）などの圧電体（ｐｉｅｚｏｅｌｅｃｔｒｉｃ）、ＰＶＤＦ（ｐｏｌｙｖｉｎｙｌｉｄｅｎｅ  ｆｌｕｏｒｉｄｅ）フィルムなどの圧電フィルム、及び電気活性高分子（Ｅｌｅｃｔｒｏ  Ａｃｔｉｖｅ  Ｐｏｌｙｍｅｒ）の少なくとも一つを含むことができる。
【００４１】
振動物質層４２０は、電圧の極性に応じて収縮または伸長することができる。例えば、図４に示すように、第１電極４１０に正の電圧が印加され、第２電極４３０に負の電圧が印加される場合には、圧縮力Ｆ１が生じて、振動物質層４２０は厚さ方向に収縮することができる。これとは異なり、第１電極４１０に負の電圧が印加され、第２電極４３０に正の電圧が印加される場合には、振動物質層４２０には伸長力Ｆ２が生じて厚さ方向に伸長することができる。したがって、第１電極４１０と第２電極４３０に、極性が交互に変わる交流電圧が印加される場合、振動物質層４２０は収縮と伸長とを繰り返すことができる。このような現象によって、振動音響素子４００に隣接する表示パネル１００に振動が発生する。表示パネル１００は、それ自体がスピーカーの振動板の役割を果たすことができる。すなわち、表示パネル１００が振動によって震えることで生じる空気の圧力変化によって、音響（音）が生成される。表示パネル１００として有機発光表示パネルを使用すると、振動によって画面が歪むことなく音響を生成することができる。
【００４２】
スピーカーは、一般に、振動板の大きさが大きいほど、振動板から出力される音響の音圧の強度が大きく、低音域の出力特性に優れる。表示装置１０において相対的に大きい面積を占める表示パネル１００自体を振動板として使用すると、表示装置１０に別の振動板を備える場合に比べて、より広い振動板面積を容易に確保することができる。よって、表示装置１０は、優れた音響及び優れた低音域の出力特性を有することができる。また、表示パネル１００自体を振動板として使用すると、別のスピーカーを備える必要がないため、表示装置１０の大きさが縮小化し且つ構造が簡素化し得る。
【００４３】
図４を参照して、振動音響素子４００が圧電素子を含む場合を例にして説明するが、これに限定されるものではない。例えば、振動音響素子４００は、永久磁石、及びこれを包んで音響信号に対応する電流を流すコイルを含み、コイルに流れる電流により生成される電磁力で振動を発生させることもできる。
【００４４】
結合部材７２０は、光遮断部材５１０と振動音響素子４００との間に配置することができる。振動音響素子４００は、結合部材７２０を介して光遮断部材５１０（または表示パネル１００）に結合することができる。
【００４５】
結合部材７２０は、両面に接着性を持つテープからなり得る。結合部材７２０は、光遮断部材５１０の上面を構成する物質と同一または異なる物質を含むことができる。
【００４６】
結合部材７２０の厚さは、後で説明するが、振動音響素子４００の平坦度が低いほど（または、振動音響素子４００の上面の粗さ（ｒｏｕｇｈｎｅｓｓ）が大きいほど）、且つ、結合部材７２０が結合される対象（例えば、光遮断部材５１０が結合された表示パネル１００）の延性（ｄｕｃｔｉｌｉｔｙ）が低いほど、厚くなり得る。例えば、結合部材７２０の厚さは、３０μｍ以上１８０μｍ以下、６０μｍ以上１２０μｍ以下、または９０μｍ以上１８０μｍ以下であり得る。この際、光遮断部材５１０の厚さは、結合部材７２０の厚さの１／３以上１／２以下であり、例えば、結合部材７２０の厚さが９０μｍ以上１８０μｍ以下である場合、光遮断部材５１０の厚さは３０μｍ以上６０μｍ以下であり得る。ただし、これは例示的なものであり、これに限定されるものではない。
【００４７】
結合部材７２０の上面には、第２凹パターンＣＣ２（および／または、第２凸パターンＣＶ２、第２エンボス形状）が形成される。第２凹パターンＣＣ２は、第１凹パターンＣＣ１と同様に、結合部材７２０の上面を基準に凹んだ部分であって、図６に示すように、平面視メッシュ形状または網目パターンであり得る。
【００４８】
第２凹パターンＣＣ２によって光遮断部材５１０と振動音響素子４００との間に（または、結合部材７２０の上面と下面との間に）第２空気通路が形成できる。この場合、振動音響素子４００を光遮断部材５１０（または、光遮断部材５１０が付着した表示パネル１００）に取り付ける過程で光遮断部材５１０と振動音響素子４００との間に発生する気泡（すなわち、光遮断部材５１０と振動音響素子４００との面結合過程で発生する気泡）は、第２空気通路を介して外部へ抜け出ることができる。
【００４９】
結合部材７２０の第２凹パターンＣＣ２は、光遮断部材５１０の第１凹パターンＣＣ１とは異なり得る。
【００５０】
実施形態において、結合部材７２０の第２凹パターンＣＣ２によって形成される第２空気通路の断面積（または、単位面積当たりの体積）は、光遮断部材５１０の第１凹パターンＣＣ１によって形成される第１空気通路の断面積（または、単位面積当たりの体積）より大きくてもよい。
【００５１】
一実施形態において、結合部材７２０の第２凹パターンＣＣ２によって形成される第２空気通路の表面積（または、光遮断部材５１０と接する第２空気通路の上部表面積）は、光遮断部材５１０の第１凹パターンＣＣ１によって形成される第１空気通路の表面積（または、表示パネル１００と接する第１空気通路の上部表面積）より大きくてもよい。
【００５２】
例えば、結合部材７２０の第２凹パターンＣＣ２によって形成される第２空気通路の表面積（または、光遮断部材５１０と接する第２空気通路の上部表面積）は、結合部材７２０の上面全体面積の１０％以上３０％以下、１０％以上２０％以下、または２０％以上３０％以下であり得る。この場合、光遮断部材５１０の第１凹パターンＣＣ１によって形成される第１空気通路の表面積（または、表示パネル１００と接する第１空気通路の上部表面積）は、光遮断部材５１０の上面全体面積の１０％以下、または２０％以下であり得る。
【００５３】
一実施形態において、結合部材７２０の厚さ方向への第２凹パターンＣＣ２の第２深さＴ２（または、第２凸パターンＣＶ２の高さ）は、光遮断部材５１０の第１凹パターンＣＣ１の第１深さＴ１（または、第１凸パターンＣＶ１の高さ）より大きくてもよい。
【００５４】
例えば、第２凹パターンＣＣ２の第２深さＴ２は、第１凹パターンＣＣ１の第１深さＴ１の１．３倍以上３倍以下であるか、１．５倍以上２倍以下であるか、１．３倍以上１．５倍以下であり得る。例えば、前述した結合部材７２０の厚さに対応して、第２凹パターンＣＣ２の第２深さＴ２は、４μｍ以上１５μｍ以下、４μｍ以上８μｍ以下、または８μｍ以上１５μｍ以下であり得る。第１凹パターンＣＣ１の第１深さＴ１は、第２凹パターンＣＣ２の第２深さＴ２よりも小さく、例えば、第２凹パターンＣＣ２の第２深さＴ２は１２μｍである場合、第１凹パターンＣＣ１の第１深さＴ１は４μｍ以上６μｍ以下であり得る。
【００５５】
第２凹パターンＣＣ２の第２幅Ｄ２（すなわち、結合部材７２０の一面に平行な方向への幅）は、第１凹パターンＣＣ１の第１幅Ｄ１と同じかそれより小さくてもよい。よって、第２凹パターンＣＣ２によって形成された第２空気通路の断面積（または体積）は、第１凹パターンＣＣ１によって形成された第１空気通路の断面積より大きくてもよい。
【００５６】
一実施形態において、結合部材７２０の第２凹パターンＣＣ２の第２幅Ｄ２は、光遮断部材５１０の第１凹パターンＣＣ１の第１幅Ｄ１より大きくてもよい。
【００５７】
例えば、結合部材７２０の第２凹パターンＣＣ２の第２幅Ｄ２は、結合部材７２０の第２凸パターンＣＶ２（すなわち、第２凹パターンＣＣ２によって定義され、第２凹パターンＣＣ２より相対的に上方に凸状に突き出した凸部）の幅Ｗ２の５％以上１５％以下であるか、第２凹パターンＣＣ２間の離隔距離の５％以上１５％以下であり得る。例えば、前述した結合部材７２０の厚さに対応して、第２凸パターンＣＶ２の幅Ｗ２（または、第２凹パターンＣＣ２の格子の間隔）は、１５０μｍ以上８００μｍ以下、１５０μｍ以上２５０μｍ以下、または４００μｍ以上８００μｍ以下であり、第２凹パターンＣＣ２の第２幅Ｄ２は、４μｍ以上１５μｍ以下、４μｍ以上８μｍ以下、または８μｍ以上１５μｍ以下であり得る。
【００５８】
ここで、光遮断部材５１０の第１凹パターンＣＣ１の第１幅Ｄ１は、光遮断部材５１０の第１凸パターンＣＶ１（すなわち、第１凹パターンＣＣ１によって定義され、第１凹パターンＣＣ１より相対的に上方に凸状に突き出した凸部）の幅Ｗ１の５％以下であるか、第１凹パターンＣＣ１間の離隔距離の５％以下であり得る。例えば、第１凸パターンＣＶ１の幅Ｗ１（または、第１凹パターンＣＣ１の格子の間隔）は１５０μｍ以上２００μｍ以下であり、第１凹パターンＣＣ１の第１幅Ｄ１は３μｍ以上６μｍ以下であり得る。
【００５９】
したがって、第２凹パターンＣＣ２によって形成された第２空気通路の断面積は、第１凹パターンＣＣ１によって形成された第１空気通路の断面積より大きくてもよい。
【００６０】
表示パネル１００の下面は相対的に高い平坦度を有し、光遮断部材５１０は相対的に軟性（ｆｌｅｘｉｂｌｅ）であり得る。よって、表示パネル１００（または、ウィンドウ３００が結合された表示パネル１００）が硬性（ｒｉｇｉｄ）であっても、表示パネル１００に対する光遮断部材５１０の結合時（または、付着時）に発生する気泡は相対的に少ないため、第１空気通路の大きさが相対的に小さくても、第１空気通路の大きさは、気泡が外部へ抜け出るのに十分であり得る。
【００６１】
一方、振動音響素子４００の上面は相対的に低い平坦度を有し（すなわち、振動音響素子４００の上面の平坦度は、表示パネル１００の下面の平坦度より低く）、振動音響素子４００は硬性（ｒｉｇｉｄ）であり得る。光遮断部材５１０（または、表示パネル１００に結合された光遮断部材５１０）と振動音響素子４００との結合時(すなわち、相対的に硬性を有する、接合面が均一でない物体間の結合時)に相対的に多くの気泡が発生する可能性がある。結合部材７２０の第２凹パターンＣＣ２によって第２空気通路が相対的に大きく形成される場合、光遮断部材５１０と振動音響素子４００との間の気泡が多く発生しても、気泡は、第２空気通路を介して外部へ抜け出ることが可能である。よって、別の真空設備が利用されなくても、第２凹パターンＣＣ２を有する結合部材７２０によって、振動音響素子４００を光遮断部材５１０に気泡なく結合することができる。
【００６２】
結合部材７２０の第２凹パターンＣＣ２は、時間が経過しても維持されるため、光遮断部材５１０と振動音響素子４００との間に残存する気泡（すなわち、振動音響素子４００と光遮断部材５１０間の結合工程で発生するが、外部へ排出されなかった気泡）が表示装置１０の使用過程で外部へ抜け出ることができる。よって、気泡に起因した欠陥（例えば、画面に気泡自体が視認される現象、気泡によって画面に発生する斑模様現象など）の発生が防止できる。
【００６３】
緩衝部材５２０は、外部衝撃を吸収して表示パネル１００、ウィンドウ３００などが破損することを防止する役割を果たす。緩衝部材５２０は、単層または複数の積層膜からなり得る。例えば、緩衝部材５２０は、ポリウレタン（ｐｏｌｙｕｒｅｔｈａｎｅ）、ポリカーボネート（ｐｏｌｙｃａｒｂｏｎａｔｅ）、ポリプロピレン（ｐｏｌｙｐｒｏｐｙｌｅｎｅ）、ポリエチレン（ｐｏｌｙｅｔｈｙｌｅｎｅ）などの高分子樹脂で形成されるか、或いは、ゴム、ウレタン系物質、またはアクリル系物質を発泡成形したスポンジなどの弾性を有する物質を含んで構成できる。緩衝部材５２０はクッション層であり得る。
【００６４】
緩衝部材５２０は、振動音響素子４００と重畳しなくてもよい。緩衝部材５２０は、弾性を有する物質からなり、振動音響素子４００と重畳しないため、振動音響素子４００から発生した振動が緩衝部材５２０に吸収されずに表示パネル１００へ伝達できる。
【００６５】
ブラケット６００は、表示パネル１００及びパネル下部部材２０（または、振動音響素子４００及び緩衝部材５２０）の下部に配置できる。
【００６６】
ブラケット６００は、他の部品を収納する収納容器または保護容器であり得る。例えば、ブラケット６００は、機能モジュール２００、表示パネル１００及びパネル下部部材２０を収納することができる。
【００６７】
ブラケット６００は、合成樹脂材質、金属材質、または異種の材質が結合された結合体からなり得る。
【００６８】
ブラケット６００の一部は、表示装置１０の側面に露出して表示装置１０の側面外観を形成することができる。ブラケット６００の下部に、外部ハウジング（図示せず）が結合されてもよい。ただし、これに限定されず、例えば、ブラケット６００自体が表示装置１０の外部ハウジングへ適用されてもよい。
【００６９】
ブラケット６００は底部６１０及び側壁６２０を含むことができる。底部６１０の上面は、振動音響素子４００の下面及び緩衝部材５２０の下面と対向し、ブラケット６００の側壁６２０は、機能モジュール２００の側面、表示パネル１００の側面、及び緩衝部材５２０の側面に対向することができる。側壁６２０の上端はウィンドウ３００に対向することができる。ブラケット６００の外側面とウィンドウ３００の外側面とは整列できる。ウィンドウ３００は防水テープを介してブラケット６００に付着できる。
【００７０】
図示してはいないが、ブラケット６００の側壁６２０がウィンドウ３００の外側面よりも外側に位置し、ブラケット６００の側壁がウィンドウ３００の外側面と対向することもできる。
【００７１】
底部６１０は、振動音響素子４００に対応する凹溝６５０を含むことができる。振動音響素子４００が緩衝部材５２０よりも相対的に下方に突出する場合、振動音響素子４００は、底部６１０の凹溝６５０内に収容できる。振動音響素子４００の下面および側面は、凹溝６５０を含む底部６１０の上面から離隔し、振動音響素子４００の振動空間が確保され得る。しかし、これに制限されるものではなく、振動音響素子４００の下面および／または側面の一部が凹溝６５０と接するか或いは両面テープなどを介して結合されていてもよい。
【００７２】
底部６１０の下面は平坦であり得る。よって、振動音響素子４００が配置された底部６１０の一部の領域、すなわち、凹溝６５０が形成された底部６１０の一部領域の厚さは、底部６１０のそれ以外の領域の厚さに比べて小さいことがある。振動音響素子４００が配置されていない領域で、底部６１０の厚さは均一であり得る。
【００７３】
ブラケット６００の底部６１０は、厚さ方向に貫通するホールをさらに含むことができる。例えば、ブラケット６００の底部６１０は、バッテリーが挿入されるバッテリーホール６７０を含むことができる。バッテリーホール６７０は、概ねブラケット６００の底部６１０の中央領域に設けることができる。バッテリーホール６７０は、上部の緩衝部材５２０と重畳することができる。すなわち、緩衝部材５２０は、凹溝６５０の対応位置からは除去されるが、バッテリーリホール６７０の対応位置には設けられることにより、バッテリーホール６７０を覆うことができる。
【００７４】
緩衝部材５２０は、トップ結合層（図示せず）及びボトム結合層５３０をさらに含み、トップ結合層を介して表示パネル１００に固定され、ボトム結合層５３０を介してブラケット６００に固定され得る。
【００７５】
トップ結合層とボトム結合層５３０はそれぞれ接着層、粘着層、または樹脂層を含んで構成できる。例えば、トップ結合層及びボトム結合層５３０のそれぞれは、シリコン系、ウレタン系、シリコン−ウレタンハイブリッド構造のＳＵポリマー、アクリル系、イソシアネート系、ポリビニルアルコール系、ゼラチン系、ビニル系、ラテックス系、ポリエステル系、水系ポリエステル系などに分類される高分子物質を含むことができる。
【００７６】
ボトム結合層５３０は、緩衝部材５２０の最下部に配置できる。例えば、ボトム結合層５３０の厚さは６０μｍ以上１２０μｍ以下であり得るが、これに限定されない。ボトム結合層５３０は、緩衝部材５２０の下面の少なくとも一部を露出させるように配置できる。
【００７７】
図３及び図６に示すように、ボトム結合層５３０は、互いに離隔した島状パターンを有することができる。ボトム結合層５３０は、ブラケット６００の底部６１０の凹溝６５０及びバッテリーホール６７０と重畳せず、凹溝６５０及びバッテリーホール６７０が設けられた領域以外の領域全体にわたって略均一な密度で配置できる。ボトム結合層５３０の島状パターンの平面形状は円形であり得るが、これに限定されるものではなく、四角形やその他の多角形であってもよい。
【００７８】
ボトム結合層５３０が配置されていない部分で、緩衝部材５２０とブラケット６００とは互いに離隔することができる。ボトム結合層５３０が配置されていない部分（すなわち、緩衝部材５２０とブラケット６００との離隔空間）は、緩衝部材５２０全体にわたって配置できる。ボトム結合層５３０が配置されていない空き領域は互いに接続されており、さらに振動音響素子４００にまで空間的に接続できる。空き領域は、スピーカーのエンクロージャーの役割を果たす響き空間（または、共振空間）になることができる。響き空間は、振動音響素子４００から発生した音を増幅させることができる。表示パネル１００の下の全面積においてボトム結合層５３０のない領域全体を響き空間として活用できるので、表示装置１０の全体サイズに比べて効率の良い響き空間が構成できる。また、空き領域がバッテリーホール６７０まで接続される場合、バッテリーホール６７０の空き領域（バッテリーが装着された場合、バッテリーと緩衝部材５２０間の離隔空間）も響き空間として活用できるため、音響増幅の効果がより向上できる。
【００７９】
上述したように、パネル下部部材２０が振動音響素子４００を含むことにより、表示装置１０は音響機能を有することができる。
【００８０】
また、振動音響素子４００は、別の真空設備が利用されなくても、第２凹パターンＣＣ２が形成された（すなわち、相対的に大きいエンボス形状を有する）結合部材７２０を介して、気泡が存在しないように、光遮断部材５１０（または表示パネル１００）に結合することができる。
【００８１】
さらに、結合部材７２０の第２凹パターンＣＣ２（または、エンボス形状）は、時間が経過しても維持されるため、結合部材７２０と光遮断部材１１０との間に残存する気泡が、第２凹パターンＣＣ２によって設けられた第２空気通路を介して外部へ排出でき、気泡に起因する欠陥発生が防止できる。
【００８２】
一方、ボトム結合層５３０は、ブラケット６００を緩衝部材５２０に結合させるが、島状パターンを有することにより、ブラケット６００と緩衝部材５２０との間の空間を空間的に接続することにより、より大きな響き空間が形成され、表示装置１０の音響機能が向上できる。
【００８３】
図７はパネル下部部材の一例を示す断面図である。図８ａ乃至図８ｃは、図７のパネル下部部材に含まれている結合部材の様々な実施形態を示す図である。
【００８４】
まず、図５、図７及び図８ａを参照すると、パネル下部部材２０＿１は、結合部材７２０＿１を含むという点で、図５のパネル下部部材２０とは異なる。
【００８５】
結合部材７２０＿１は、基材７２１、第１結合層７２３及び第２結合層７２４を含むことができる。また、結合部材７２０＿１は凸パターン７２２をさらに含むことができる。
【００８６】
図８ａに示すように、基材７２１は板状を有することができる。基材７２１は、ポリエチレンテレフタレート（ＰＥＴ）、ポリイミド（ＰＩ）、ポリカーボネート（ＰＣ）、ポリエチレン（ＰＥ）、ポリプロピレン（ＰＰ）、ポリスルホン（ＰＳＦ）、ポリメチルメタクリレート（ＰＭＭＡ）、トリアセチルセルロース（ＴＡＣ）、シクロオレフィンポリマー（ＣＯＰ）などの、柔軟性を有する高分子物質で構成できる。
【００８７】
凸パターン７２２は、基材７２１上に配置され、特定の間隔（例えば、第１幅Ｄ１）をもってマトリックス状に繰り返し配列され得る。凸パターン７２２は、第２凹パターンＣＣ２（または第２凸パターンＣＶ２）に対応して四角形の平面形状を有することができるが、これに限定されるものではなく、例えば、円形、三角形、多角形などの平面形状を有することができる。凸パターン７２２の幅は、結合部材７２０＿１の第２凸パターンＣＶ２の幅Ｗ２と同じかそれより小さく、凸パターン７２２の間隔は、第２凹パターンＣＣ２の第２幅Ｄ２と同じかそれより大きく、また、凸パターン７２２の高さＨ１は、第２凹パターンＣＣ２の第２深さＴ２と同じかそれより大きくてもよい。
【００８８】
凸パターン７２２は、基材７２１を構成する物質と同一の物質で構成され、例えば、凸パターン７２２は、基材７２１と一体に構成できる。
【００８９】
第１結合層７２３は、基材７２１及び凸パターン７２２の上部（または上面）に配置され、接着層、粘着層または樹脂層を含んで構成できる。例えば、第１結合層７２３は、シリコン系、ウレタン系、シリコン−ウレタンハイブリッド構造のＳＵポリマー、アクリル系、イソシアネート系、ポリビニルアルコール系、ゼラチン系、ビニル系、ラテックス系、ポリエステル系、水系ポリエステルエステル系などに分類される高分子物質を含有することができる。
【００９０】
第１結合層７２３は、基材７２１上に均一に塗布またはコーティングされ、凸パターン７２２によってエンボス形状（または、第１凸パターンＣＶ１及び第１凹パターンＣＣ１）を有することができる。第１結合層７２３（または、結合部材７２０＿１）のエンボス形状は、凸パターン７２２によって、時間が経過してもそのまま維持できる。
【００９１】
第２結合層７２４は、基材７２１の下部（または下面）に配置され、第１結合層７２３の例示物質の中から選択された物質を含むことができる。
【００９２】
一方、図８ａにおいて、凸パターン７２２は島状パターンであることが示されているが、これは例示的なものであり、これに限定されない。
【００９３】
図８ｂを参照すると、結合部材７２０＿１は、凸パターン７２２＿１を含むという点で、図８ａの結合部材７２０とは異なる。
【００９４】
凸パターン７２２＿１は、特定の幅（例えば、第２凸パターンＣＶ２の幅Ｗ２）をもって第１方向ＤＲ１に延びるラインパターンであり、第２方向ＤＲ２（すなわち、第１方向ＤＲ１と交差する第２方向）に沿って特定の間隔（例えば、第２幅Ｄ２）をもって繰り返し配列され得る。この場合、結合部材７２０＿１の第２凹パターンＣＣ２によって形成される第２空気通路は、第１方向にのみ外部に接続することができる。
【００９５】
図８ｃを参照すると、結合部材７２０＿２は、基材７２１＿２及び凸パターン７２２＿２を含むという点で、図８ａの結合部材７２０とは異なる。
【００９６】
基材７２１＿２は、特定の幅（例えば、第２凸パターンＣＶ２の幅Ｗ２）をもって第２方向ＤＲ２に延び、第１方向ＤＲ１に沿って特定の間隔（例えば、第２幅Ｄ２）をもって繰り返し配列されるラインパターンを含むことができる。凸パターン７２２＿２は、基材７２１＿２上に配置され、特定の幅（例えば、第２凸パターンＣＶ２の幅Ｗ２）をもって第１方向ＤＲ１に延び、第２方向ＤＲ２に沿って特定の間隔（例えば、第２幅Ｄ２）をもって繰り返し配列され得る。すなわち、基材７２１＿２と凸パターン７２２＿２は、全体的に平面視メッシュ（ｍｅｓｈ）形状を有し、或いはファブリック（ｆａｂｒｉｃ）構造を有することができる。
【００９７】
図７乃至図８ｃを参照して説明したように、結合部材７２０、７２０＿１、７２０＿２は、第２凹パターンＣＣ２に対応する凸パターン７２２、７２２＿１、７２２＿２を含むことにより、第２凹パターンＣＣ２は、時間が経ってもその形状を維持できる。
【００９８】
図９乃至図１１はパネル下部部材の様々な実施形態を示す断面図である。図１２は図１１のパネル下部部材に含まれている結合部材の一例を示す図である。
【００９９】
まず、図１、図３、図５及び図９を参照すると、パネル下部部材２０＿２は、光遮断部材５１０＿１を含むという点で、図５のパネル下部部材２０とは異なる。
【０１００】
光遮断部材５１０＿１は、基材５１１、第１光吸収層５１２（または第１光遮断層）及び上部結合層５１３を含むことができる。また、光遮断部材５１０＿１は第２光吸収層５１４をさらに含むことができる。
【０１０１】
基材５１１は、ポリエチレンテレフタレート（ＰＥＴ）、ポリイミド（ＰＩ）、ポリカーボネート（ＰＣ）、ポリエチレン（ＰＥ）、ポリプロピレン（ＰＰ）、ポリスルホン（ＰＳＦ）、ポリメチルメタクリレート（ＰＭＭＡ）、トリアセチルセルロース（ＴＡＣ）、シクロオレフィンポリマー（ＣＯＰ）などから構成できる。
【０１０２】
基材５１１の上面には第１光吸収層５１２が配置できる。第１光吸収層５１２は、基材５１１の上面に直接配置できる。第１光吸収層５１２は、基材５１１の上面全体に配置できる。
【０１０３】
第１光吸収層５１２は、光の透過を阻止して、下部の振動音響素子４００などが上部から視認されることを防止することができる。第１光吸収層５１２は、ブラック顔料や染料などの光吸収物質を含むことができる。例えば、第１光吸収層５１２はブラックインクであってもよい。第１光吸収層５１２は、基材５１１の上面にコーティングまたは印刷方式で形成できる。
【０１０４】
上部結合層５１３は、第１光吸収層５１２（または基材５１１）の上面に配置できる。上部結合層５１３は、光遮断部材５１０＿１を表示パネル１００の下面に付着させることができる。上部結合層５１３は、接着層、粘着層または樹脂層を含んで構成できる。例えば、上部結合層５１３は、シリコン系、ウレタン系、シリコン−ウレタンハイブリッド構造のＳＵポリマー、アクリル系、イソシアネート系、ポリビニルアルコール系、ゼラチン系、ビニル系、ラテックス系、ポリエステル系、水系ポリエステル系などに分類される高分子物質を含有することができる。
【０１０５】
上部結合層５１３の上面には第１凹パターンＣＣ１が形成できる。前述したように、第１凹パターンＣＣ１は、第１凹パターンＣＣ１に対応する凸パターンを有する離型フィルムに粘着剤（すなわち、上部結合層５１３を構成する粘着剤）をコーティングした後、乾燥させることにより形成できる。離型フィルムは光遮断部材５１０＿１と表示パネル１００との結合時に除去され、光遮断部材５１０＿１は上部結合層５１３を介して表示パネル１００に結合できる。
【０１０６】
第２光吸収層５１４は、基材５１１の下面に配置され、第１光吸収層５１２と実質的に同一であり得る。よって、重複する説明は繰り返さないことにする。
【０１０７】
図５及び図１０を参照すると、パネル下部部材２０＿３は、第１及び第２結合部材に７２０＿３、７３０を含むという点で、図５のパネル下部部材２０とは異なる。
【０１０８】
第１結合部材７２０＿３は、第２凹パターンＣＣ２＿１（またはエンボス形状）を含むという点で、図５を参照して説明した結合部材７２０とは異なる。
【０１０９】
第２凹パターンＣＣ２＿１（すなわち、第１結合部材７２０＿３の上面に形成された第２凹パターンＣＣ２＿１）の第２幅Ｄ２、間隔（または、第２凸パターンＣＶ２＿１の幅Ｗ２）、及び第２深さＴ２は、第１凹パターンＣＣ１（すなわち、光遮断部材５１０の上面に形成された第１凹パターンＣＣ１）の第１幅Ｄ１、間隔（または、第１凸パターンＣＶ１の幅Ｗ１）、及び第１深さＴ１とそれぞれ同一であり得る。
【０１１０】
第２結合部材７３０は、光遮断部材５１０と第１結合部材７２０＿３との間に配置できる。第２結合部材７３０の下面には、第３凹パターンＣＣ３（及び第３凸パターンＣＶ３）が形成できる。
【０１１１】
第３凹パターンＣＣ３（すなわち、第２結合部材７３０の第３凹パターンＣＣ３）の第３幅Ｄ３、間隔（または、第３凸パターンＣＶ３の幅Ｗ３）、及び第３深さＴ３は、第２凹パターンＣＣ２＿１（すなわち、第１結合部材７２０＿３の上面に形成された第２凹パターンＣＣ２＿１）の第２幅Ｄ２、間隔（または、第２凸パターンＣＶ２＿１の幅Ｗ２）、及び第２深さＴ２とそれぞれ同一であり得る。
【０１１２】
たとえば、第２結合部材７３０及び第１結合部材７２０＿３は、一つの結合部材（例えば、両面粘着テープ）で製造され、振動音響素子４００と光遮断部材５１０との結合のために、第１結合部材７２０＿３及び第２結合部材７３０が裁断（ｃｕｔ）（または分離）され、振動音響素子４００の上面及び光遮断部材５１０の下面にそれぞれ付着できる。これとは異なり、第２結合部材７３０は光遮断部材５１０と一体に構成されてもよい。
【０１１３】
第１結合部材７２０＿３の第２凹パターンＣＣ２＿１及び第２結合部材７３０の第３凹パターンＣＣ３は第２空気通路を形成し、第２空気通路の大きさ（または断面積）は、光遮断部材５１０の第１凹パターンＣＣ１によって形成された第１空気通路の大きさ（または断面積）より大きくてもよい。よって、光遮断部材５１０（または、表示パネル１００に結合された光遮断部材５１０）及び振動音響素子４００が結合することにより相対的に多くの気泡が発生し或いは残存しても、気泡が第１空気通路を介して外部へ容易に抜け出ることができる。
【０１１４】
図１０を参照して説明したように、相対的に小さい凹パターン（またはエンボス形状）を有する結合部材を用いても、結合部材が光遮断部材５１０の下面および振動音響素子４００の上面にそれぞれ付着することにより、光遮断部材５１０と振動音響素子４００との結合時に発生する気泡及び気泡による欠陥発生が防止できる。
【０１１５】
図１１及び図１２を参照すると、パネル下部部材２０＿４は、第１および第２結合部材７２０＿４、７３０＿１を含むという点で、図１０のパネル下部部材２０＿３とは異なる。
【０１１６】
第１結合部材７２０＿４は、振動音響素子４００の上面に配置され、第２凹パターンＣＣ２＿１が形成された上面を有することができる。同様に、第２結合部材７３０＿１は、光遮断部材５１０の下面に配置され、第３凹パターンＣＣ３が形成された下面を持つことができる。
【０１１７】
第１結合部材７２０＿４は、図８ｂを参照して説明した結合部材７２０＿１と実質的に同一であり得る。すなわち、第１結合部材７２０＿３の第２凹パターンＣＣ２＿１は、第１方向ＤＲ１に延び、第２方向ＤＲ２に沿って繰り返し配列できる。
【０１１８】
第２結合部材７３０＿１は、第１結合部材７２０＿４が１８０度ひっくり返された状態で、垂直軸（すなわち、一面に対して垂直な軸）を基準に時計回り（または反時計回り）に９０度回転した状態と同一であり得る。すなわち、第２結合部材７３０＿１の第３凹パターンＣＣ３は、第２方向ＤＲ２に延び、第１方向ＤＲ１に沿って繰り返し配列され得る。
【０１１９】
第１結合部材７２０＿４の第２凹パターンＣＣ２＿１と第２結合部材７３０＿１の第３凹パターンＣＣ３とは、互いに交差し、メッシュ状の第２空気通路が形成できる。
【０１２０】
図１３はパネル下部部材の他の例を示す断面図である。
【０１２１】
図３、図５及び図１３を参照すると、パネル下部部材２０＿５は、光遮断部材５１０＿２を含み、結合部材７２０を含まないという点で、図５のパネル下部部材２０とは異なる。
【０１２２】
光遮断部材５１０＿２は、第３凹パターンＣＣ３の形成された下面と、第１凹パターンＣＣ１の形成された上面とを持つことができる。
【０１２３】
第１凹パターンＣＣ１は、図５を参照して説明した第１凹パターンＣＣ１と実質的に同一であり得る。よって、重複する説明は繰り返さないことにする。
【０１２４】
第３凹パターンＣＣ３は、図５を参照して説明した第２凹パターンＣＣ２と実質的に同一であり得る。すなわち、第３凹パターンＣＣ３の第３幅Ｄ３、間隔（または、第３凹パターンＣＣ３によって定義される第３凸パターンＣＶ３の幅Ｗ３）及び第３深さＴ３は、図５を参照して説明した第２凹パターンＣＣ２の第２幅Ｄ２、間隔（または、第２凸パターンＣＶ２の幅Ｗ２）及び第２深さＴ２とそれぞれ実質的に同一であり得る。
【０１２５】
第３凹パターンＣＣ３は、光遮断部材５１０＿２の下面における、振動音響素子４００と重畳する一部の領域のみに形成できる。すなわち、光遮断部材５１０＿２の下面における、緩衝部材５２０と重畳する領域には、第３凹パターンＣＣ３が形成されていなくてもよい。ただし、これに限定されるものではない。例えば、光遮断部材５１０＿２の下面における、緩衝部材５２０と重畳する領域に、第３凹パターンＣＣ３とは異なる凹パターンが形成されてもよい。他の例として、光遮断部材５１０＿２と緩衝部材５２０との間に硬性の機能層が配置される場合、光遮断部材５１０＿２の下面全体に第３凹パターンＣＣ３が形成されてもよい。
【０１２６】
光遮断部材５１０＿２の下面が粘着性を有し、光遮断部材５１０＿２の下面に振動音響素子４００が直接結合されてもよい。すなわち、別の結合部材が光遮断部材５１０＿２と振動音響素子４００との間に介在しなくてもよい。
【０１２７】
図１４及び図１５はパネル下部部材の様々な実施形態を示す断面図である。
【０１２８】
まず、図１３及び図１４を参照すると、パネル下部部材２０＿６は、光遮断部材５１０＿３を含むという点で、図１３のパネル下部部材２０＿５とは異なる。
【０１２９】
光遮断部材５１０＿３は、基材５１１、第１光吸収層５１２、上部結合層５１３、第２光吸収層５１４及び下部結合層５１５を含むことができる。光遮断部材５１０＿３は、下部結合層５１５をさらに含むという点で、図９を参照して説明した光遮断部材５１０＿１とは異なる。
【０１３０】
下部結合層５１５は、第２光吸収層５１４（または基材５１１）の下面に配置できる。下部結合層５１５は、光遮断部材５１０＿３と振動音響素子４００とを結合させ、かつ、光遮断部材５１０＿３と緩衝部材５２０とを結合させることができる。下部結合層５１５は、接着層、粘着層または樹脂層を含んでなり、上部結合層５１３を構成する物質を含むことができる。
【０１３１】
下部結合層５１５の下面には第３凹パターンＣＣ３が形成できる。第１凹パターンＣＣ１と同様に、第３凹パターンＣＣ３に対応する凸パターンを有する離型フィルムに粘着剤（すなわち、下部結合層５１５を構成する粘着層）をコーティングした後、光遮断部材５１０＿３の基材５１１（または、第２光吸収層５１４が結合された基材５１１）をラミネートし、乾燥させることにより、第３凹パターンＣＣ３が形成できる。
【０１３２】
図１４を参照して説明したように、第３凹パターンＣＣ３は、下部結合層５１５の下面における、振動音響素子４００と重畳する一部の領域のみに形成できる。すなわち、下部結合層５１５の下面における、緩衝部材５２０と重畳する領域には、第３凹パターンＣＣ３が形成されなくてもよい。ただし、これに限定されるものではない。
【０１３３】
図１３及び図１５を参照すると、パネル下部部材２０＿７は、光遮断部材５１０＿４と結合部材７２０＿３を含むという点で、図１３のパネル下部部材２０＿５とは異なる。
【０１３４】
光遮断部材５１０＿４は、第３凹パターンＣＣ３が形成された下面を含むという点で、図１３を参照して説明した光遮断部材５１０＿２とは異なる。
【０１３５】
第３凹パターンＣＣ３は、図１０を参照して説明した第３凹パターンＣＣ３と実質的に同一であり得る。すなわち、第３凹パターンＣＣ３（すなわち、光遮断部材５１０＿４の下面に形成された第３凹パターンＣＣ３）の第３幅Ｄ３、間隔（または、第３凸パターンＣＶ３の幅Ｗ３）、及び第３深さＴ３は、第１凹パターンＣＣ１（すなわち、光遮断部材５１０＿４の上面に形成された第１凹パターンＣＣ１）の第１幅Ｄ１、間隔（または、第１凸パターンＣＶ１の幅Ｗ１）、及び第１深さＴ１とそれぞれ同一であり得る。
【０１３６】
第３凹パターンＣＣ３は、光遮断部材５１０＿４の下面における、振動音響素子４００と重畳する一部の領域のみに形成できる。すなわち、光遮断部材５１０＿４の下面における、緩衝部材５２０と重畳する領域には、第３凹パターンＣＣ３が形成されなくてもよい。ただし、これに限定されるものではない。
【０１３７】
結合部材７２０＿３は、図１０を参照して説明した第１結合部材７２０＿３と実質的に同一であり得る。すなわち、第２凹パターンＣＣ２（すなわち、結合部材７２０＿３の上面に形成された第２凹パターンＣＣ２）の第２幅Ｄ２、間隔（または、第２凸パターンＣＶ２の幅Ｗ２）、及び第２深さＴ２は、第１凹パターンＣＣ１（すなわち、光遮断部材５１０＿４の上面に形成された第１凹パターンＣＣ１）の第１幅Ｄ１、間隔（または、第１凸パターンＣＶ１の幅Ｗ１）、及び第１深さＴ１とそれぞれ同一であり得る。
【０１３８】
したがって、光遮断部材５１０＿４と結合部材７２０＿３とが相対的に小さい凹パターン（またはエンボス形状）を有しても、光遮断部材５１０＿４の第３凹パターンＣＣ３と結合部材７２０＿３の第２凹パターンＣＣ２とが重畳し或いは直接接することにより、光遮断部材５１０＿４と振動音響素子４００との結合時に発生する気泡、及び気泡に起因する欠陥発生が防止できる。
【０１３９】
図１６は他の実施形態による表示装置の断面図であり、図１のＡ−Ａ’線に沿った断面図である。図１７は図１６に示されたＱ１部分を拡大して示す断面図である。
【０１４０】
図１、図３、図１６及び図１７を参照すると、表示装置１０＿１は、パネル下部部材２０＿８を含むという点で、図３の表示装置１０とは異なる。また、パネル下部部材２０＿８は、機能層５４０をさらに含むという点で、図５のパネル下部部材２０＿８とは異なる。
【０１４１】
パネル下部部材２０＿８は、放熱機能、電磁波遮蔽機能、パターン視認防止機能、接地機能、強度補強機能および／またはデジタイズ機能などを行うことができる。この場合、機能層５４０は、支持基材、放熱層、電磁波遮蔽層、衝撃吸収層、結合層、圧力センサ、デジタイザなどであり得る。
【０１４２】
機能層５４０は、光遮断部材５１０と振動音響素子４００（または結合部材７２０）との間に配置され、且つ、光遮断部材５１０と緩衝部材５２０との間に配置され得る。
【０１４３】
機能層５４０は、光遮断部材５１０と実質的に同じ大きさ及び形状を有し、光遮断部材５１０の下部に配置され、別の粘着フィルム（図示せず）を介して光遮断部材５１０の下面に結合できる。
【０１４４】
機能層５４０は、シートからなるシート層、フィルムからなるフィルム層、薄膜層、コーティング層、パネル、プレートなどであり得る。一つの機能層は、単層からなってもよいが、積層された複数の薄膜またはコーティング層からなってもよい。
【０１４５】
一実施形態において、機能層５４０はブラックテープであってもよい。この場合、ブラックテープは、光遮断部材５１０と一緒にブラックテープの下部に配置された構成（例えば、振動音響素子４００、緩衝部材５２０など）が上部から視認されることを防止することができる。
【０１４６】
一実施形態において、機能層５４０はデジタイザであり得る。デジタイザは、粘着フィルム（図示せず）を介して光遮断部材５１０の下面に結合できる。
【０１４７】
デジタイザは、入力装置の一つであって、キーボードやマウスなどの入力装置とは異なり、画面上でユーザーが指示した位置情報の入力を受ける。デジタイザは、例えば、スタイラスペンの動きを認識し、これをデジタル信号に変換する。デジタイザは、フィルムやパネルの形で提供できる。
【０１４８】
一方、図１６には１つの機能層のみが示されているが、これに限定されない。例えば、機能層５４０は、支持基材、放熱層、電磁波遮蔽層、圧力センサ及びデジタイザのうちの少なくとも２つが積層されて構成されてもよい。
【０１４９】
図１８はパネル下部部材の別の例を示す断面図である。
【０１５０】
図１８を参照すると、パネル下部部材２０＿９は、放熱部材５５０を含むという点で、図１７のパネル下部部材２０＿８とは異なる。
【０１５１】
放熱部材５５０は、図１７の機能層５４０と同様に、光遮断部材５１０と振動音響素子４００（または結合部材７２０）との間に配置され、且つ、光遮断部材５１０と緩衝部材５２０との間に配置され得る。
【０１５２】
放熱部材５５０は、少なくとも一つの放熱層を含むことができる。放熱部材５５０は、２つの放熱層５５１、５５５及び結合層５５３を含むことができる。
【０１５３】
第１放熱層５５１と第２放熱層５５５は、同一の物質からなってもよいが、他の放熱特性を有する物質からなってもよい。例えば、第１放熱層５５１は、グラファイトやカーボンナノチューブなどを含むことができる。第２放熱層５５５は、電磁波を遮蔽することができ、熱伝導性に優れた様々な物質を含むことができる。例示的に、第２放熱層５５５は、銅、ニッケル、フェライト、銀などの金属薄膜を含むことができる。
【０１５４】
第２放熱層５５５は、第１放熱層５５１の下部に配置できる。第１放熱層５５１と第２放熱層５５５とは重畳するように配置されるが、第１放熱層５５１は、第２放熱層５５５よりも小さく、その側面が第２放熱層５５５の側面よりも内側に位置することができる。
【０１５５】
第１放熱層５５１と第２放熱層５５５との間には結合層５５３が位置することができる。結合層５５３は、第１放熱層５５１と第２放熱層５５５とを結合し、第１放熱層５５１を完全にカバーすることができる。結合層５５３の物質はボトム結合層５３０の例示物質の中から選択できる。
【０１５６】
一実施形態において、放熱部材５５０は、緩衝部材５２０と同様に、振動音響素子４００と重畳しなくてもよい。この場合、振動音響素子４００が振動するのに十分なスペースが確保できる。
【０１５７】
一方、図１７及び図１８において、パネル下部部材２０＿８、２０＿９は、一つの機能層５４０または放熱部材５５０を含むものと示されているが、これは例示的なものであり、これに限定されない。たとえば、パネル下部部材２０＿９に含まれている３つの層５５１、５５３、５５５それぞれは、支持基材、放熱層、電磁波遮蔽層、衝撃吸収層、結合層、圧力センサ及びデジタイザの中から選択された一つであり得る。
【０１５８】
以上、本発明の実施形態を中心に説明したが、これは例示に過ぎず、本発明を限定するものではなく、本発明の属する分野における通常の知識を有する者であれば、本発明の実施形態の本質的な特性を逸脱することなく、以上に例示されていない様々な変形と応用が可能であることが分かるだろう。例えば、本発明の実施形態に具体的に示された各構成要素は変形して実施することができる。そして、このような変形と応用に関わる差異点は、添付された請求の範囲で規定する本発明の範囲に含まれるものと解釈されるべきである。
【符号の説明】
【０１５９】
１０    表示装置
２０    パネル下部部材
１００    表示パネル
２００    機能モジュール
３００    ウィンドウ
４００    振動音響素子
５１０    光遮断部材
５２０    緩衝部材
５３０    ボトム結合層
６００    ブラケット
７２０    結合部材
【図１】
2020003778.tif 000003
【図２】
2020003778.tif 000004
【図３】
2020003778.tif 000005
【図４】
2020003778.tif 000006
【図５】
2020003778.tif 000007
【図６】
2020003778.tif 000008
【図７】
2020003778.tif 000009
【図８ａ】
2020003778.tif 000010
【図８ｂ】
2020003778.tif 000011
【図８ｃ】
2020003778.tif 000012
【図９】
2020003778.tif 000013
【図１０】
2020003778.tif 000014
【図１１】
2020003778.tif 000015
【図１２】
2020003778.tif 000016
【図１３】
2020003778.tif 000017
【図１４】
2020003778.tif 000018
【図１５】
2020003778.tif 000019
【図１６】
2020003778.tif 000020
【図１７】
2020003778.tif 000021
【図１８】
2020003778.tif 000022